(57)【要約】【課題】接着剤が硬化するまでの間、ブロックの位置ズレや接着剤のダレを防止すること。【解決手段】ブロック１０の各相互間には接着剤２２が充填され、ブロック１０が相互に接合されている。また、上下のブロック１０間には、一対の接合シート３０ａ、３０ｂからなるシート部材３０が介設され、ブロック１０の上下間を相互に係止するようになっている。このシート部材３０は、ブロック１０の間に接着剤２２を充填する際に両者を仮止めするために設けられたものであり、所定の厚みを有し、ブロック１０間に間隔を確保するために介設されている。これにより、接着剤２２が硬化するまでの間、ブロック１０を固定しておくことができるとともに、充填された接着剤２２を保持しておくことができる。【選択図】　　　図３
2004044166.tif 000002
【特許請求の範囲】
【請求項１】
ブロックを上下に積み重ねてなるブロックの組積構造であって、上下のブロック間に間隔を形成しつつ当該上下のブロックを互いに仮止めするためのシート部材を両ブロック間に設け、前記間隔に接着剤を充填したことを特徴とするブロックの組積構造。
【請求項２】
前記シート部材は、互いに接合性を有する一対の接合シートからなり、該一対の接合シートは、夫々、上側のブロックの下面および下側のブロックの上面に貼り付けられていることを特徴とする請求項１に記載のブロックの組積構造。
【請求項３】
前記シート部材は、面ファスナーであることを特徴とする請求項２に記載のブロックの組積構造。
【請求項４】
前記ブロックは、繊維強化プラスチック材により形成されていることを特徴とする請求項１〜３のいずれか１項に記載のブロックの組積構造。
【請求項５】
ブロックを上下に積み重ねてゆくブロックの組積方法であって、上下のブロック間に間隔を形成しつつ当該上下のブロックを互いに仮止めするためのシート部材を両ブロック間に設け、前記間隔に接着剤を充填することを特徴とするブロックの組積方法。
【発明の詳細な説明】
【０００１】
【発明の属する技術分野】
本発明は、ブロックを上下に積み上げてなるブロックの組積構造および組積方法に関する。
【０００２】
【従来の技術】
最近、構造物の壁等の構築に、従来のコンクリートブロックに代わって、繊維強化複合材等のプラスチック材をはじめとする各種軽量材料により形成されたブロックが使用されるようになっている。この軽量ブロックは、コンクリートブロックに比べて重量が小さく、運搬や取扱いが簡便で、設置作業等をきわめて容易に行うことができるので、作業効率の向上に一役買っている。
【０００３】
このようなブロックを用いて壁等を構築する場合には、ブロックを相互に接合させながら並べて配置しつつ、ブロックを一段一段順次積み重ねて組積してゆく工法が採られている。ブロックどうしの接合には、接着剤が用いられている。
【０００４】
【発明が解決しようとする課題】
このようにブロックを組積してゆく方法にあっては、ブロックの軽量さゆえに、次のような問題があった。すなわち、ブロックを接合するための接着剤は、一般に硬化するまでに時間がかかるため、接着剤が硬化するまでの間にブロックが傾いたり、また位置ズレが起きるなどの不具合が生じることがある。また、接着剤の硬化反応に伴う発熱により接着剤が膨張してしまい、これに起因してブロックが動いたり、接着剤にダレが生じたりすることがある。これらの理由から、ブロック間に充填される接着剤の厚みを一定に保てないため、ブロックを水平に積み上げることが難しく、積み上げたブロックの面が揃わずに見栄えが悪くなるという問題があった。また、組積精度が低下して、構造上十分な強度が得られない虞があるという問題もあった。このようなことから、従来は、接着剤が十分に硬化するまでの間、ブロックの監視や位置直しといった作業が必要であった。
【０００５】
本発明は、このような事情に鑑みてなされたものであって、その目的は、接着剤が硬化するまでの間、ブロックを安定した状態で保持することができ、ブロックの位置ズレや接着剤のダレを防止することが可能なブロックの組積構造および組積方法を提供することにある。
【０００６】
【課題を解決するための手段】
このような目的を達成するために本発明に係るブロックの組積構造にあっては、ブロックを上下に積み重ねてなるブロックの組積構造であって、上下のブロック間に間隔を形成しつつ当該上下のブロックを互いに仮止めするためのシート部材を両ブロック間に設け、前記間隔に接着剤を充填したことを特徴とする（請求項１）。
【０００７】
また、本発明に係るブロックの組積方法にあっては、ブロックを上下に積み重ねてゆくブロックの組積方法であって、上下のブロック間に間隔を形成しつつ当該上下のブロックを互いに仮止めするためのシート部材を両ブロック間に設け、前記間隔に接着剤を充填することを特徴とする（請求項５）。
【０００８】
これらのブロックの組積構造および組積方法にあっては、上下のブロック間に、間隔を形成しつつ当該上下のブロックを互いに仮止めするためのシート部材が介設されていることで、当該間隔に接着剤を充填したとき、接着剤が十分に硬化するまでの間、その間隔に接着剤を保持しておくことができる。これにより、接着剤の厚みを一定に保つことができるとともに接着剤のダレを防止することができる。また、ブロックどうしをシート部材により仮止めすることができるから、ブロックの位置ズレを防止することができ、これにより、接着剤が十分に硬化するまでの間、ブロックを安定した状態で保持することできる。したがって、ブロックの転倒や、積み上げたブロックの面が揃わず見栄えが悪くなるといった不具合の発生を防止することができる。これによって、ブロックの監視や位置直しといった作業を不要にすることができ、作業の軽減を図ることができる。さらにまた高品質な壁等の構築物の構築が可能である。
【０００９】
また、前記シート部材は、互いに接合性を有する一対の接合シートからなり、該一対の接合シートは、夫々、上側のブロックの下面および下側のブロックの上面に接着されていることを特徴とする（請求項２）。前記シート部材がこのような接合シートからなり、上側のブロックの下面および下側のブロックの上面にそれぞれ接着されていることで、これら一対の接合シートを接合するだけで、ブロック間の仮止めを簡単に行うことができる。
【００１０】
また、前記シート部材は、面ファスナーであるのが好ましい（請求項３）。このようにシート部材が面ファスナーにより構成されていることで、ブロックどうしを非常に簡単に接合することができる。
【００１１】
また、前記ブロックは、繊維強化プラスチック材により形成されているのが好ましい（請求項４）。このような材料により形成されたブロックを用いることにより、非常に軽量でかつ十分な強度を兼ね備えた耐震壁等を構築することができる。
【００１２】
【発明の実施の形態】
以下に本発明に係るブロックの組積構造および組積方法の実施の形態について、添付図面を用いて説明する。図１〜図５は、本発明に係るブロックの組積構造および組積方法の一実施形態を示したものである。ここでは、本発明に係るブロックの組積構造および組積方法によって耐震壁を構築する場合について説明する。図１は、その耐震壁の一実施形態を示し、図２は、その耐震壁を構成するブロックの組積構造を詳しく示し、図３は、ブロックの一実施形態を示している。また、図４および図５は、ブロックの組積方法の一実施形態を示している。
【００１３】
ここで構築される耐震壁２は、図１に示すように、構造物の柱４間にわたって床６の上に構築されたものであり、ブロック１０を横方向に沿って複数個並べて配置しつつその上に一段一段積み重ねて構築されている。ブロック１０どうしは接着剤により相互に接合されている。さらに、左右両端に配置されたブロック１０は左右の各柱４の外周に、また最下段に配置されたブロック１０は床面６にそれぞれ接着剤により接合されて固定されている。
【００１４】
ここで使用されるブロック１０は、図２に示すように、直方体状に成形されたブロックであり、例えば、横幅（Ｗ）２５０ｍｍ×高さ（Ｈ）１５０ｍｍ×奥行き（Ｄ）２００ｍｍ等のサイズに形成されている。このブロック１０は、ＦＲＰ（Ｆｉｂｅｒ　Ｒｅｉｎｆｏｒｃｅｄ　Ｐｌａｓｔｉｃｓ）等のプラスチック材料をはじめ、木材やガラスなど、各種軽量材料により形成された、従来のコンクリートブロックに比べて軽量なブロックである。本実施形態では、このブロック１０が、例えば、断面矩形状に成形された枠体状のフレーム部１２と、当該フレーム部１２の内側に設けられた格子状の補強部１４とを備えている。なお、本実施形態では、これらフレーム部１２および補強部１４はＦＲＰにより形成されている。
【００１５】
フレーム部１２は、ブロック１０の奥行き方向に沿って幅広に形成され、全体が筒体状に成形されている。このフレーム部１２は、相隣接して配置された他のブロック１０のフレーム部１２に密着して接合される。一方、補強部１４は、フレーム部１２の内側に帯板部１４ａが斜めに掛け渡されつつ直交するように配置されて格子状に構成されている。補強部１４は、フレーム部１２を内側より支えるようになっている。
【００１６】
図３（ａ）は、各ブロック１０間の接合の様子を拡大して示したものである。床面６上には、接着剤により所定の厚みを有する接着層２０が膜層状に設けられ、この接着層２０の上にブロック１０が設置されて積み上げられている。接着層２０には、最下段に配置されたブロック１０が接合されている。
【００１７】
各ブロック１０の間には、それぞれ間隔が設けられ、この間隔には、当該間隔を埋めるようにして接着剤２２が充填されている。接着剤２２は、ブロック１０の各間の間隔に沿ってそれぞれ膜層状に介設され、ブロック１０の上下両面部間および側面部間が相互に密着して接合されるようになっている。これにより縦方向のブロック間および横方向のブロック間が結合される。
【００１８】
さらに本実施形態では、ブロック１０の上下間に、帯状のシート部材３０が介設されている。このシート部材３０は、プラスチック材（フィルム材を含む）や布材等の各種シート素材により形成されたもので、ブロック１０を相互に接合するために各ブロック１０に接着されるための粘着部等を備えている。シート部材３０は、ブロック１０の上下間に間隔Ｍを形成すべく設けられていて、その厚さが、その上下間に介設する接着剤２２の厚みに応じて、例えば１〜３ｍｍ等といった具合に適宜設定される。なお、このシート部材３０の形成材料としては、接着性の悪い材質、例えばフッ素系樹脂材等については採用を回避するのが好ましい。
【００１９】
本実施形態では、このシート部材３０が面ファスナーにより構成されている。面ファスナーとは、例えば一般的によく知られている「マジックテープ（登録商標）」等のことであり、相互に着脱可能な一対の接合シート３０ａ、３０ｂにより構成され、一方の接合シート３０ａには例えばフック部（図示外）が、また他方の接合シート３０ｂには例えばループ部（図示外）がそれぞれ設けられ、両接合シート３０ａ、３０ｂを密着させると、フック部とループ部とが相互に引っ掛かり合って、２つの接合シート３０ａ、３０ｂが相互に接合されるしくみになっている。フック部およびループ部は、各接合シート３０ａ、３０ｂの一方の面に設けられ、他方の面には、当該接合シート３０ａ、３０ｂを貼り付けるための粘着部（図示外）が設けられている。面ファスナーの接合方式としては、前述したループ型の他に、挟み込み型や凸凹型などの各種方式がある。
【００２０】
本実施形態では、一方の接合シート３０ａが、下側のブロック１０の上面部に、また他方の接合シート３０ｂが上側のブロック１０の下面部にそれぞれ貼り付けられている。図３（ｂ）は、下側のブロック１０の上面部に一方の接合シート３０ａが貼り付けられた状態を示す。一方の接合シート３０ａは、帯状に形成され、各ブロック１０の両端部にそれぞれ奥行き方向に沿って配設されている。上側のブロック１０の下面部にも、これら一方の接合シート３０ａに対応して、他方の接合シート３０ｂが貼り付けられている。これら一対の接合シート３０ａ、３０ｂによりブロック１０の上下間が相互に接合されるようになっている。
【００２１】
ブロック１０の上下間に、このようなシート部材３０を介設することで、ブロック１０間に接着剤２２を充填するための間隔Ｍを十分に確保することができるとともに、当該間隔Ｍに充填された接着剤２２が十分に硬化するまでの間、シート部材３０によって２つのブロック１０を相互に仮止めしておくことができる。これにより、ブロック１０の位置ズレ等を防止することができるとともに、ブロック１０間に接着剤２２を保持しておくことができ、接着剤２２のダレを防止することができる。このことから、ブロック１０を安定した状態で保持することできるため、転倒が生じたり、また面が揃わず見栄えが悪くなるといった問題を解消することができる。また、このことにより、ブロック１０の監視や位置直しといった作業を不要にすることができ、作業の軽減を図ることができる。また、高品質な壁等の構築物の構築が可能である。
【００２２】
また、ブロック１０の上下面に凹凸があっても、これをシート部材３０の厚みにより形成された間隔Ｍによって吸収することができる。
【００２３】
次に、このようなブロック構造の組積手順の一例について説明する。図４はその組積手順の一例を説明するものである。図４（ａ）に示すように、床面６上に接着剤を塗布するなどして薄層状の接着剤層２０を設けた後、この接着剤層２０の上に１個目のブロック１０を設置する。このブロック１０の側面部には、接着剤が薄層状に塗布等により設けられる。次に図４（ｂ）に示すように、この接着剤を介して１個目のブロックに密着するように２個目のブロック１０を設置する。
【００２４】
設置した２個目のブロック１０の側面部にも接着剤が設けられ、図４（ｃ）に示すように、ブロック１０の側面部に次々とブロック１０が密着されつつ設置される。このようにしてブロック１０を所定個数横方向に並べて１段目のブロック１０の設置作業が終了した後、２段目の設置作業に入る。この２段目の設置作業では、１段目の各ブロック１０の上面部に、図４（ｄ）に示すように、シート部材３０の一方の接合シート３０ａを貼り付ける。また、その上面部には、その一方の接合シート３０ａの貼り付け部分を除く他の部分に接着剤２２を塗布等により設けておく。
【００２５】
一方、この一方の接合シート３０ａに対応して、その上に積み重ねられる２段目のブロック１０の下面部には、図４（ｅ）に示すように、他方の接合シート３０ｂを貼り付ける。また、その下面部に他方の接合シート３０ｂの貼り付け部を除く他の部分および側面部に接着剤２２を塗布等により設けておく。そして、１段目のブロック１０の上に２段目のブロック１０を設置する際に、１段目のブロック１０の上面部の接合シート３０ａを２段目のブロック１０の下面部の接合シート３０ｂと接合する。これにより、これら２つのブロック１０が仮止めされる。またこれらのブロック１０の間には、間隔Ｍが設けられ、接着剤２２が十分に硬化するまでの間、当該間隔Ｍ内に接着剤２２を保持しておくことができる。
【００２６】
このようにして１段目のブロック１０の上に２段目のブロック１０を順次積み重ねて設置してゆく。さらに、第２段目のブロック１０の上に１段１段ブロック１０を積み重ねてゆく、最終的には、所定の段数だけブロック１０を積み上げて、耐震壁２を構築する。
【００２７】
このようにブロック１０を組積してゆけば、ブロック１０間の接着剤２２が硬化するまでの間、ブロック１０の位置ズレ等を防止することができるとともに、ブロック１０間に接着剤２２が保持され、接着剤２２のダレを防止することができる。これにより、ブロック１０を安定した状態で接合することができ、転倒を生じる虞や、面が揃わず見栄えが悪くなるといった不具合の解消を図ることができる。したがって、ブロック１０の監視や位置直しを不要にすることができ、非常に簡単にブロック１０の組積作業を行うことができる。
【００２８】
なお、本実施形態に係る組積構造または組積方法にあっては、ブロック１０として、同一形状かつ同一サイズのブロックを用いていたが、本発明にあってはこのような場合に限らず、形状またはサイズの異なるブロックを用いても良い。また、本発明に係るブロックとしては、前述したように直方体状以外に他の形状、例えば立方体状等の各種形状に成形されていても良い。
【００２９】
また、ブロック１０の補強部１４については、前述した格子状のものの他に、フレーム部１２を内側より支えて補強するものであれば、他の形態のものであっても構わない。また、ブロック１０は、フレーム部１２と補強部１４とからなる構成に限らず、例えば、中空あるいは中実の直方体状の構成であっても構わない。
【００３０】
また、本実施形態では、シート部材３０がブロック１０の上下間全てに介設されていたが、本発明にあってはこのような場合に限らず、少なくとも左右両端に配置されたブロック１０の上下間にシート部材３０が介設されていればよい。これは、左右両端に位置するブロック１０の上下間が仮止めされれば、その間に配置されたブロック１０は、上下間がシート部材３０により仮止めされなくても、左右両側から押さえられて、位置ズレの防止が可能であるからである。すなわち、前述した実施形態のように、必ずしもその間に配置されたブロック１０の上下間にまでシート部材３０を介設する必要はない。
【００３１】
また、本実施形態では、最下段のブロック１０が床面６に対してシート部材３０を介さずに直接接合されていたが、これは、床面６が基準面として平坦に形成されて十分に均一であるため接着層２０も薄くて済むことから、シート部材３０を介設しなくても問題が生じないからである。ただし、最下段のブロック１０と床面６との間に、前述したような仮止め用のシート部材３０を適宜介設しても構わない。
【００３２】
また、本実施形態では、ブロックにより耐震壁を構築する場合について説明したが、本発明に係るブロックの組積構造および組積方法にあっては、このような耐震壁の場合に限らず。ブロックを組積して構築されるものであれば、構造物の構造部以外に、例えばモニュメント等の各種造形物であっても構わない。
【００３３】
【発明の効果】
本発明によれば、接着剤が十分に硬化するまでの間、ブロックの位置ズレや接着剤のダレを防止することができる（請求項１・請求項５）。
【００３４】
また、シート部材は、互いに接合性を有する一対の接合シートからなり、該一対の接合シートは、夫々、上側のブロックの下面および下側のブロックの上面に接着されていることで、ブロック間の仮止めを容易に行うことができる（請求項２）。
【００３５】
また、シート部材が面ファスナーであることで、ブロックどうしを非常に簡単に接合することができる（請求項３）。
【００３６】
また、前記ブロックが繊維強化プラスチック材により形成されていることで、非常に軽量でかつ十分な強度を兼ね備えた耐震壁等を構築することができる（請求項４）。
【図面の簡単な説明】
【図１】本発明に係るブロックの組積構造および組積方法により構築された耐震壁の一実施形態を示した平面図である。
【図２】本発明に係るブロックの一実施形態を示した斜視図である。
【図３】本発明に係るブロックの組積構造および組積方法の一実施形態を示した平面図である。
【図４】本発明に係るブロックの組積手順の一実施形態を示した説明図である。
【符号の説明】
２　　耐震壁
４　　柱
６　　床
１０　ブロック
１２　フレーム部
１４　補強部
２２　接着剤
３０　シート部材
３０ａ、３０ｂ　接合シート
【図１】
2004044166.tif 000003
【図２】
2004044166.tif 000004
【図３】
2004044166.tif 000005
【図４】
2004044166.tif 000006